(57)【要約】      （修正有）【課題】作業性を向上させた空気調和機の室外機を提供する。【解決手段】空気調和機の室外機は、冷凍サイクルの構成部品等を配置する基板と、基板の左右に区画を分割する仕切板と、仕切板で区画された一方に制御基板２０を取り付ける電源板２１とを備え、制御基板２０は電源板２１の上側から挿入可能に構成された空気調和機の室外機であって、制御基板２０の挿入方向をガイドするガイド部を設けたことにより、作業性が向上し、部品の破損を防ぐことができる。【選択図】図７
2013133972.tif 000002
【特許請求の範囲】
【請求項１】
冷凍サイクルの構成部品等を配置する基板と、前記基板の左右に区画を分割する仕切板と、前記仕切板で区画された一方に制御基板を取り付ける電源板とを備え、前記制御基板は前記電源板の上側から挿入可能に構成された空気調和機の室外機であって、前記制御基板の挿入方向をガイドするガイド部を設けたことを特徴とする空気調和機の室外機。
【請求項２】
前記ガイド部は、前記電源板に設けた一条の凸部を備えることを特徴とする請求項１に記載の空気調和機の室外機。
【請求項３】
前記ガイド部は、前記電源板に設けた溝部と、前記溝部に嵌合され前記制御基板に設けた突形状部とを備えることを特徴とする請求項１または２に記載の空気調和機の室外機。
【発明の詳細な説明】
【技術分野】
【０００１】
本発明は、空気調和機の室外機に関する。
【背景技術】
【０００２】
従来の空気調和機の室外機は、機械室と送風室とを区画する仕切板に沿って電源板を設け、室外機の上方に取り出せるように分離して構成されている（例えば、特許文献１参照）。
【０００３】
図１１は従来の空気調和機の室外機の正面図、図１２は従来の天面方向からの要部拡大図、図１３はＡ方向正面図である。図１１から図１３に示すように、空気調和機の室外機１０１の底板１０２から天板１０３に至る途中まで立設した仕切板１０４と、圧縮機１０５の上方に配置された電源板１０６とで室外機の内部を区画しており、機械室１０７と送風室１０８とを形成している。
【０００４】
そして電源板１０６には制御用電気部品が実装された制御基板１０９が基板固定箱１１０に固定され、さらに制御基板１０９の搭載部品である冷却用の放熱板１１１が電源板１０６から外方の送風室１０８側に突出するように配置されている。さらに、電源板１０６の内部に蓄積した熱を外部へ循環させるために放熱板１１１の上方に放熱用ダクト１１２を設けている。
【０００５】
以上のような構造の空気調和機の室外機において、メンテナンス時に制御基板１０９を取り外すときは、放熱板１１１が取り付けられた状態で分離できるように、電源板１０６と制御基板１０９を固定した基板固定箱１１０とは分離された構造になっている。
【先行技術文献】
【特許文献】
【０００６】
【特許文献１】特開２０１０−７８２０３号公報
【発明の概要】
【発明が解決しようとする課題】
【０００７】
しかしながら、前記従来の構成において、制御基板を挿入するときに位置が定まらず、特に送風機が２台上下に並ぶような空気調和機の室外機では高所となるため、制御基板が他の部品に接触して破損してしまうという作業性に課題を有していた。
【０００８】
本発明は、前記従来の課題を解決するもので、作業性を向上させた空気調和機の室外機を提供することを目的とする。
【課題を解決するための手段】
【０００９】
前記従来の課題を解決するために、本発明の空気調和機の室外機は、冷凍サイクルの構成部品等を配置する基板と、基板の左右に区画を分割する仕切板と、仕切板で区画された一方に制御基板を取り付ける電源板とを備え、制御基板は電源板の上側から挿入可能に構成された空気調和機の室外機であって、制御基板の挿入方向をガイドするガイド部を設けたことにより、作業性が向上し、部品の破損を防ぐことができる。
【発明の効果】
【００１０】
本発明は、作業性を向上させた空気調和機の室外機を提供することができる。
【図面の簡単な説明】
【００１１】
【図１】本発明の実施の形態１の空気調和機の室外機の外観斜視図
【図２】同実施の形態１における空気調和機の室外機の要部分解図
【図３】同実施の形態１におけるＸＸ断面図
【図４】同実施の形態１における空気調和機の室外機の要部展開正面図
【図５】同実施の形態１における空気調和機の室外機の要部展開斜視図
【図６】同実施の形態１における空気調和機の室外機の要部上面図
【図７】同実施の形態１における電装ボックスの外観斜視図
【図８】同実施の形態１における要部断面図
【図９】同実施の形態１における要部断面図
【図１０】同実施の形態１における要部断面図
【図１１】従来の空気調和機の室外機の正面図
【図１２】従来の電装ボックスの要部断面図
【図１３】従来の電装ボックスのＡ方向からみた正面図
【発明を実施するための形態】
【００１２】
第１の発明の空気調和機の室外機は、冷凍サイクルの構成部品等を配置する基板と、基板の左右に区画を分割する仕切板と、仕切板で区画された一方に制御基板を取り付ける電源板とを備え、制御基板は電源板の上側から挿入可能に構成された空気調和機の室外機であって、制御基板の挿入方向をガイドするガイド部を設けたことにより、作業性が向上し、部品の破損を防ぐことができる。
【００１３】
第２の発明の空気調和機の室外機は、特に第１の発明において、ガイド部は、電源板に設けた一条の凸部を備えることにより、簡単な構成でガイド部を実現することができる。
【００１４】
第３の発明の空気調和機の室外機は、特に第１または第２の発明において、ガイド部は、電源板に設けた溝部と、溝部に嵌合され制御基板に設けた突形状部とを備えることにより、さらに位置決め精度を向上させ、作業性を向上させることができる。
【００１５】
以下、本発明の実施の形態について、図面を参照しながら説明する。なお、この実施の形態によって本発明が限定されるものではない。
【００１６】
（実施の形態１）
図１は実施の形態１の空気調和機の室外機の外観斜視図、図２は実施の形態１の空気調和機の室外機の要部分解図、図３は実施の形態１におけるＸＸ断面図（冷凍サイクル構成部品は図示せず）、図４は実施の形態１における要部展開正面図である。
【００１７】
図１から図４に示すように、空気調和機の室外機１は、基板２の上に冷凍サイクルの構成部品を搭載し、基板２の上に風回路室２Ａと機械室２Ｂとを仕切る仕切板８を設けている。
【００１８】
風回路室２Ａには、ファンモータ台を介して上下に室外送風機５が配置されており、機械室２Ｂには、圧縮機３が配置され、圧縮機３の上方に電装部品を内部に有する電装ボックス１２が配置されている。また、室外機１の背面側には室外熱交換器４が配置されている。また、機械室には冷媒管等の冷凍サイクル構成部品（図示せず）が搭載されている。
【００１９】
また、風回路室２Ａの前方には風回路前板９Ａが設けられており、風回路前板は前面グリル１３とベルマウスを有する前板７で構成される。一方、機械室２Ｂの前方には略Ｌ字形状の機械室前板９Ｂが設けられており、前方方向から側方方向の筐体を構成している。また、機械室２Ｂの後方には略Ｌ字形状の機械室後板９Ｃが設けられており、側方方向か
ら後方方向の筐体を構成している。また、天面側には天板１１が配置されており、筐体の一部を構成している。
【００２０】
次に、機械室２Ｂに配置された電装ボックス１２の構成について説明する。図５は本実施の形態１における空気調和機の室外機の要部展開斜視図、図６は本実施の形態１における空気調和機の室外機の上面展開図、図７は本実施の形態１における電装ボックス１２の要部斜視図である。
【００２１】
図５から図７に示すように、本実施の形態において電装ボックス１２は、電子部品１９等が実装されている制御基板２０と、制御基板２０を上方から挿入可能に構成されている電源板２１と、制御基板２０に実装された電子部品からの熱を放熱する放熱板２２と、電源板２１内部に蓄積した熱を外部と循環させるための放熱ダクト２３とを有する。
【００２２】
そして、電源板２１は仕切板８の上部にネジ等で取り付けられており、制御基板２０は電源板２１に上方から挿入可能に取り付けられている。ここで、本実施の形態のように室外送風機５が二台配置されているような室外機の高さは高くなってしまい、メンテナンス時に作業者が制御基板２０を挿入するのが困難である。
【００２３】
そこで、本実施の形態では、電源板２１へ制御基板２０をガイドするようなガイド部を設けている。図８は本実施の形態１における電装ボックス１２の要部断面図である。具体的には、電源板２１に凸部２５を設けて制御基板２０がスライドしやすいようにしている。本実施の形態における凸部２５は一条の凸部となっており、点で凸部を設けるよりもスライドしやすく構成している。
【００２４】
また、図７に示すように、制御基板２０を両側方向からガイドしやすいように、凸部２５を制御基板２０のスライド方向に対して両側に設けている。これによってさらに作業性を向上させることができる。
【００２５】
図９は本実施の形態１における電装ボックス１２の要部断面図である。さらに、本実施の形態のガイド部には、図９に示すように、制御基板２０に突形状部２６を設け、電源板２１に溝部２７を設けている。このように構成することにより、突形状部２６が溝部２７にはまり、制御基板２０をスライドしやすくしている。もちろん、図１０に示すように、凸部２５、突形状部２６、溝部２７の全てを設けるように構成してもよい。
【００２６】
そして、電源板２１に制御基板２０を挿入したあとは、ネジ２８で取り付ける。
【００２７】
以上のように構成することによって、制御基板２０を電源板２１へ取り付けやすくなり、また凸部２５があることでガイドするだけではなく、ネジ止めする前に仮に固定しておくこともでき、ネジ止めしやすくなる。
【００２８】
さらに、凸部２５によってある程度、制御基板２０が電源板２１に固定されているため、ネジ止めする箇所も上部の二箇所だけにすることも可能となり、コスト削減を図ることができる。さらに、凸部２５を設けることによって、電源板２１自体の強度も向上することができ、品質を向上させることもできる。
【産業上の利用可能性】
【００２９】
以上のように本発明は、１台の室外機に１台の室内機が接続される空気調和機だけではなく、１台の室外機に複数台の室内機が接続されるマルチ型の空気調和機であっても適用することができる。
【符号の説明】
【００３０】
１  室外機
２  基板
２Ａ  風回路室
２Ｂ  機械室
８  仕切板
２０  制御基板
２１  電源板
【図１】
2013133972.tif 000003
【図２】
2013133972.tif 000004
【図３】
2013133972.tif 000005
【図４】
2013133972.tif 000006
【図５】
2013133972.tif 000007
【図６】
2013133972.tif 000008
【図７】
2013133972.tif 000009
【図８】
2013133972.tif 000010
【図９】
2013133972.tif 000011
【図１０】
2013133972.tif 000012
【図１１】
2013133972.tif 000013
【図１２】
2013133972.tif 000014
【図１３】
2013133972.tif 000015